(57)【要約】      （修正有）【課題】上下のパレットとスリーブを連結、分離するためのジョイント手段の操作が容易で、効率良く組立て、分解作業を行えると共に、使用現場での部品管理も容易である、新規なジョイント具を用いた組立て式コンテナを提供する。【解決手段】上縁面、下縁面から摺動子の係合片２３が突出するスリーブ２を、上下パレットの周縁部１ａ，１ａ’間に立ち上がるようにセットして、係合片２３をパレット周縁部の挿入孔３に挿入し、その後、摺動子２０を固定位置へ摺動させれば、係合片２３がパレット周縁部の係止孔４に係合して、スリーブ２とパレット１ａ，１ａ’が連結される。この状態から、摺動子を着脱位置に摺動させれば、係合片２３が挿入孔３に復帰して係止孔４との係合が外れ、スリーブ２とパレット１ａ，１ａ’の連結状態が解除される。【選択図】図１
2007153339.tif 000002
【特許請求の範囲】
【請求項１】
天井部と底壁部を構成する上下一対のパレットの周縁部間にスリーブを立ち上げてなる組立て式コンテナにおいて、前記スリーブの上下端部を前記上下のパレットの周縁部に着脱自在に連結するためのジョイント具であって、
前記スリーブの内面に沿う内面板と、該内面板の端部に折り曲げ自在に連設され前記スリーブの上縁面又は下縁面に沿う中間板と、該中間板の端部に折り曲げ自在に連設され前記スリーブの外面に沿う外面板と、前記内面板と外面板に対向状に形成され、前記スリーブに設けた開口部内で嵌合して前記内面板と外面板を連結する係合部を備えたジョイント本体と、
前記中間板に設けた通孔を介して外方へ突出する係合片を有し、前記内面板と外面板の間で左右方向へ摺動自在に保持された摺動子と、からなり、
前記摺動子が、前記上下のパレットの周縁部に設けた挿入孔に前記係合片を抜差し自在に挿入可能な着脱位置と、前記挿入孔に連続する係止孔に前記係合片が係合して前記パレット周縁部に固定される固定位置と、の間を摺動自在であることを特徴とする組立て式コンテナ用ジョイント具。
【請求項２】
前記摺動子に、前記外面板に設けた長孔に摺動自在に挿入されて該外面板の外方に突出する摺動操作用摘みを設けたことを特徴とする請求項１記載の組立て式コンテナ用ジョイント具。
【請求項３】
前記着脱位置及び固定位置にある前記摺動子の摺動を解除可能に規制するストッパー手段を備えたことを特徴とする請求項１又は２記載の組立て式コンテナ用ジョイント具。
【請求項４】
前記中間板に、前記パレット周縁部に設けた位置決め孔へ抜差し自在に挿入される位置決め突起を設けたことを特徴とする請求項１又は２又は３記載の組立て式コンテナ用ジョイント具。
【請求項５】
天井部と底壁部を構成する上下一対のパレットの周縁部間にスリーブを立ち上げると共に、請求項１〜４の何れか１項記載のジョイント具を用いて、前記スリーブの上下端部を前記上下のパレットの周縁部に着脱自在に連結してなる組立て式コンテナ。
【請求項６】
前記スリーブの上下端部に、前記ジョイント具の前記嵌合部が収容される開口部と、前記摺動子が摺動自在に収容される切欠き部が形成されていることを特徴とする請求項５記載の組立て式コンテナ。
【請求項７】
前記上下のパレットと前記ジョイント具が硬質合成樹脂からなり、前記スリーブが多層段ボールからなることを特徴とする請求項５又は６記載の組立て式コンテナ。
【発明の詳細な説明】
【技術分野】
【０００１】
本発明は、上下一対のパレット間にスリーブを立ち上げた組立て状態で使用され、未使用時には両パレットとスリーブが分離する状態に分解可能な組立て式コンテナに関し、詳しくは、前記両パレットとスリーブを着脱自在に連結するジョイント手段の改良に関する。
【背景技術】
【０００２】
上下一対の合成樹脂製パレットと段ボール製のスリーブからなり、それら両パレットの周縁部間にスリーブが立ち上がる組立て状態で使用する一方、未使用時には両パレットとスリーブを分離させ、スリーブを折り畳んだ状態で搬送するようにした組立て式コンテナが従来から知られている（例えば特許文献１、２参照）。
【０００３】
またこの種組立て式コンテナにおいて、前記両パレットとスリーブを分離可能に連結するジョイント手段として、例えば特許文献３に開示されるように、スリーブの内面に沿う内面板と、該内面板の端部に折り曲げ自在に連設されスリーブの上縁面又は下縁面に沿う中間板と、該中間板の端部に折り曲げ自在に連設されスリーブの外面に沿う外面板と、前記内面板と外面板に対向状に形成され、スリーブに設けた開口部内で嵌合して前記内面板と外面板を連結する凹凸係合手段を備えたジョイント具、及び、このジョイント具とは別体に形成された回転子（キー部材）からなるものが従来から知られている。
前記ジョイント具の中間板には、パレット周縁部に設けた開口部と連通する係合孔が形成されており、この係合孔に、パレット周縁部の上方又は下方から回転子を差し込んだ後、該回転子を９０度回転させることで、その先端係合片と係合孔が係合して、スリーブとパレットが連結されるようになっている。
【０００４】
【特許文献１】実開昭６２−１１０１９０号公報
【特許文献２】特開２００１−２２５８９０号公報
【特許文献３】米国特許５８６２９１７号公報
【発明の開示】
【発明が解決しようとする課題】
【０００５】
ところで、上記した従来のジョイント手段は、ジョイント具と回転子が別々の部品であることから、それぞれの部品管理の手間が必要であり、回転子を紛失などした場合、スリーブの着脱が出来なくなる虞れがあった。
また、スリーブ下端部を下パレットに対し着脱する場合、下パレット周縁部の下方に手を入れて回転子の回転、抜差しを行わなければならず、操作が面倒であるなどの不具合があった。
【０００６】
本発明はこのような従来事情に鑑みて成されたもので、その目的とする処は、上下のパレットとスリーブを連結、分離するためのジョイント手段の操作が容易で、効率良く組立て、分解作業を行えると共に、使用現場での部品管理も容易である、新規な組立て式コンテナ用ジョイント具と、このジョイント具を用いた組立て式コンテナを提供することにある。
【課題を解決するための手段】
【０００７】
以上の目的を達成するために、本発明に係る組立て式コンテナ用ジョイント具は、
天井部と底壁部を構成する上下一対のパレットの周縁部間にスリーブを立ち上げてなる組立て式コンテナにおいて、前記スリーブの上下端部を前記上下のパレットの周縁部に着脱自在に連結するためのジョイント具であって、
前記スリーブの内面に沿う内面板と、該内面板の端部に折り曲げ自在に連設され前記スリーブの上縁面又は下縁面に沿う中間板と、該中間板の端部に折り曲げ自在に連設され前記スリーブの外面に沿う外面板と、前記内面板と外面板に対向状に形成され、前記スリーブに設けた開口部内で嵌合して前記内面板と外面板を連結する嵌合部を備えたジョイント本体と、
前記中間板に設けた通孔を介して外方へ突出する係合片を有し、前記内面板と外面板の間で左右方向へ摺動自在に保持された摺動子と、からなり、
前記摺動子が、前記上下のパレットの周縁部に設けた挿入孔に前記係合片を抜差し自在に挿入可能な着脱位置と、前記挿入孔に連続する係止孔に前記係合片が係合して前記パレット周縁部に固定される固定位置と、の間を摺動自在であることを特徴とする。
【０００８】
このような構成によれば、内面板と外面板でスリーブ壁面を挟持するようにして、スリーブ開口部内で嵌合部を嵌合させれば、スリーブの上下端部にジョイント具が装着され、この状態で、該スリーブの上縁面、下縁面から摺動子の係合片が突出する。このスリーブを、上下パレットの周縁部間に立ち上がるようにセットして、前記係合片をパレット周縁部の挿入孔に挿入し、その後、摺動子を固定位置へ摺動させれば、前記係合片がパレット周縁部の係止孔に係合して、スリーブとパレットが連結される。また、この状態から、摺動子を着脱位置に摺動させれば、前記係合片が挿入孔に復帰して係止孔との係合が外れ、スリーブとパレットの連結状態が解除される。
ジョイント具は、ジョイント本体に摺動子を組み込んだ一部品（ワンピース品）であり、内面板と外面板でスリーブ壁面を挟んで嵌合部を嵌合させるだけの簡単な操作で、ジョイント本体と摺動子を一体的にスリーブに装着することができる。
【０００９】
前記摺動子には、前記外面板に設けた長孔に摺動自在に挿入されて該外面板の外方に突出する摺動操作用摘みを設けることが好ましい。
この場合、パレット周縁部の下方に手を入れるような手間を要することなく、スリーブの正面側において摺動操作用摘みを操作することで、摺動子を容易に摺動させることができる。
【００１０】
前記着脱位置及び固定位置にある前記摺動子の摺動を解除可能に規制するストッパー手段を備えることが好ましい。
ストッパー手段としては、例えば、前記外面板に設けたストッパー用長孔に摺動自在に挿入されて外面板の外方に突出するストッパー用摘みを、弾性連設片を介して摺動子に連設すると共に、
摺動子が前記着脱位置にある時に前記ストッパー用摘みが係合する着脱位置ロック凹部と、摺動子が前記固定位置にある時に前記ストッパー用摘みが係合する固定位置ロック凹部を、前記ストッパー用長孔に設け、
且つ、前記弾性連設片が、前記ストッパー用摘みを、前記着脱位置ロック凹部、固定位置ロック凹部に弾性的に係合させるよう形成した態様をあげることができる。
このようなストッパー手段を備えた場合、固定位置にある摺動子の不用意な摺動が防止され、スリーブとパレットの連結状態を確実に維持することができる。
【００１１】
前記中間板に、前記パレット周縁部に設けた位置決め孔へ抜差し自在に挿入される位置決め突起を設けることが好ましい。
この場合、位置決め孔と位置決め突起とでガイド機能が働き、パレット周縁部の挿入孔への係合片の挿入を、容易且つ確実に行うことができる。
【００１２】
本発明に係る組立て式コンテナは、天井部と底壁部を構成する上下一対のパレットの周縁部間にスリーブを立ち上げると共に、前述したジョイント具を用いて、前記スリーブの上下端部を前記上下のパレットの周縁部に着脱自在に連結してなることを特徴とする。
【００１３】
スリーブの上下端部には、前記ジョイント具の前記嵌合部が収容される開口部と、前記摺動子が摺動自在に収容される切欠き部が形成されていることが好ましい。
前記開口部により、前述したように、ジョイント具をワンタッチ式でスリーブに装着することができる。
前記切欠き部により、摺動子の摺動スペースがスリーブ壁面の厚み寸法内に確保されるので、ジョイント具を、ジョイント本体の内外面板間に摺動子が保持されたコンパクトな構造のものとし得る。
所定の耐久性、耐荷重強度などを備えると共に、軽量で繰り返し使用可能なリターナブルコンテナとして提供するために、前記上下のパレットと前記ジョイント具が硬質合成樹脂からなり、前記スリーブが多層段ボールからなることが好ましい。
【発明の効果】
【００１４】
本発明に係る組立て式コンテナ用ジョイント具は以上説明したように構成したので、スリーブの上下端部に、摺動子が組み込まれたジョイント具をワンタッチ式で装着することができ、その装着状態においてスリーブ上下縁面から突出する摺動子の係合片を、パレット周縁部の挿入孔に挿入した後、摺動子を摺動させて係止孔に係合させるだけの簡単な操作で、スリーブとパレットを連結することが出来る。
よって、パレット周縁部に対しスリーブをセットした後、回転子（キー部材）やストッパー部材などを別途挿入して回転操作したり係合操作するような面倒な作業をする必要なく、スリーブに装着したジョイント具に組み込まれている摺動子を、スリーブ正面側において摺動操作するだけの極めて簡単な作業で、上下パレットに対するスリーブの連結、分離を行うことが出来る。しかも、摺動子がジョイント具と一体的にスリーブに装着されるので、摺動子を別途管理するような手間も不要であり、コンテナの組立て、分解を極めて効率良く行うことができるなど、多くの効果を有する。
【発明を実施するための最良の形態】
【００１５】
以下、本発明に係る組立て式コンテナとジョイント具の実施形態の一例について、図面を参照しながら説明する。図１は本例の組立て式コンテナＡの全体図を示し、該組立て式コンテナＡは、天井部と底壁部を構成する上下一対のパレット１，１’の周縁部１ａ，１ａ’間に沿ってスリーブ２を立ち上げて胴部を構成したもので、両パレット１，１’とスリーブ２は複数のジョイント具ａにより分離可能に連結されている。
【００１６】
上下のパレット１，１’は、天井部又は底壁部となる四角形状の構成板における周縁部１ａの外縁に起立面１ｂを備えると共に、下側パレット１にあっては適所に脚部１ｃが膨出するよう、所望の剛性を有する硬質合成樹脂により一体成形されたもので、起立面１ｂの内側に沿ってスリーブ２の各壁面２ａが立ち上がっている。
下パレット１における隣り合わせる脚部１ｃ，１ｃ間の隙間は、フォークリフトのフォークの差込空間として機能するようになっている。
【００１７】
スリーブ２は多層段ボールからなる四角筒状のもので、図示するように各壁面２ａが上下パレット１，１’の起立面１ｂ内側に沿って立ち上がる四角筒状を成す状態と、対向する一対の角部の稜線を折線として扁平状に折り畳まれる状態（不図示）とに変形自在に形成されている。
【００１８】
スリーブ２の対向する一対の壁面２ａには、その上下端部の複数箇所、本例では左右二箇所にジョイント具ａが装着されており、各ジョイント具ａにおいて、後述する係合片２３が係止孔４に係合する状態にあるときは上下のパレット１，１’とスリーブ２が連結されてコンテナＡの組立て状態が維持され、係合片２３と係止孔４の係合が外れた状態にあるとき（係合片２３が挿入孔３内にあるとき）は上下のパレット１，１’とスリーブ２の連結が解除されコンテナＡが分解可能になるよう形成されている。
【００１９】
上下のパレット１，１’の周縁部１ａには、前記係合片２３が抜き差し自在に挿入される挿入孔３と、該係合片２３が係合する係止孔４とが連通状に形成されている。また、スリーブ１の各壁面２ａの上下縁部には、ジョイント具ａのジョイント本体１０を装着するための開口部５と切欠き６が形成されている。
【００２０】
図２〜図７にはジョイント具ａの詳細を示し、ジョイント具ａは、所望の剛性を有する硬質合成樹脂により一体成形されたジョイント本体１０と摺動子２０からなり、摺動子２０は、ジョイント本体１０の内部に摺動自在に保持されている。
【００２１】
ジョイント本体１０は、スリーブ１の内面に沿う内面板１１と、内面板１１の端部に折り曲げ自在に連設されスリーブ１の上端面又は下端面に沿う中間板１２と、中間板１２の端部に折り曲げ自在に連設されスリーブ１の外面に沿う外面板１３と、内面板１１と外面板１３に対向状に形成され、スリーブ１の開口部５内で嵌合して内外面板１１，１３を連結する（ジョイント本体１０をスリーブ１の上下端部に固定する）ための凸部１４ａと凹部１４ｂで構成される嵌合部からなる。
そして、内面板１１と外面板１３でスリーブ壁面２ａを挟持するようにして、スリーブ開口部５内で凸部１４ａと凹部１４ｂを嵌合させることで、スリーブ２の上下端部にジョイント本体１０が固定されるようになっている。
前記嵌合部を構成する凸部１４ａには孔１４ｃが形成されると共に、凹部１４ｂにはこの孔１４ｃに弾性係合する楔状の抜け止め突起１４ｄが形成されており、これら突起１４ｄと孔１４ｃの係合により、スリーブ２へのジョイント本体１０がより確実なものとなる。
中間板１２には、摺動子２０の係合片２３を中間板１２の外側（ジョイント本体１０の外側）で摺動自在とするための通孔１５が形成されている。
【００２２】
摺動子２０は、内面板１１と外面板１３の間で左右方向（ジョイント本体１０の幅方向）に向けて摺動自在に保持可能なよう、所定の厚みをもって形成された摺動本体２１と、該摺動本体２１に連設され前記通孔１５に挿入される狭小幅の支持杆部２２と、該支持杆部２２の先端に連設され中間板１２の外方へ突出する係合片２３を備えている。
摺動本体２１の側面には、内面板１１と外面板１３の内面に並列状に複数形成した摺動ガイド溝１６，１７に摺動自在に挿入される突条２４が並列状に複数形成されており、これら突条２４と摺動ガイド溝１６，１７により、摺動子２０の左右方向への摺動がガイドされると共に、摺動子２０が内外面板１１，１３の間で摺動自在に保持される。
【００２３】
上下のパレット１，１’の周縁部１ａ，１ａ’には、該周縁部１ａ，１ａ’に対しスリーブ２をセットした際に、前記係合片２３が抜差し自在に挿入される挿入孔３と、この挿入孔３に連続し前記係合片２３が係合する係止孔４が形成されている。そして、摺動子２０は、挿入孔３に係合片２３を抜差し自在に挿入可能な着脱位置と、係止孔４に係合片２３が係合してパレット周縁部１ａに対し固定される固定位置と、の間を摺動自在になっている。
【００２４】
また摺動子２０には、外面板１３に設けた長孔状の摺動ガイド孔１８に摺動自在に挿入されて外面板１３の外方に突出する摺動操作摘み２５が突設されており、スリーブ２の正面側においてこの摺動操作摘み２５を操作することで、摺動子２０が（係合片２３が）摺動するようになっている。
【００２５】
さらに摺動子２０には、前記着脱位置又は固定位置にあるときの摺動を解除可能に規制するストッパー手段を備えている。
本例におけるストッパー手段は、外面板１３に設けたストッパー用長孔１９に摺動自在に挿入されて外面板１３の外方に突出するストッパー用摘み２６を、弾性連設片２７を介して摺動本体２１に連設すると共に、摺動子２０が前記着脱位置にある時にストッパー用摘み２６が係合する着脱位置ロック凹部１９ａと、摺動子２０が前記固定位置にある時にストッパー用摘み２６が係合する固定位置ロック凹部１９ｂをストッパー用長孔１９に設けてある。そして、前記弾性連設片２７により、ストッパー用摘み２６を、着脱位置ロック凹部１９ａ、固定位置ロック凹部１９ｂに弾性的に係合させて、着脱位置又は固定位置にある摺動子２０の不用意な摺動を防止すると共に、弾性連設片２７の付勢力に抗してストッパー用摘み２６を、着脱位置ロック凹部１９ａ、固定位置ロック凹部１９ｂから外すことで、摺動子２０の摺動が許容されるようになっている。
【００２６】
中間板１２には、パレット周縁部１ａ，１ａ’に設けた位置決め孔１ｄに抜差し自在に挿入される位置決め突起１２ａが突設されている。
【００２７】
以上の構成になる本例の組立て式コンテナＡは、図１に示す組立て状態において、上下のパレット１，１’の周縁部１ａ，１ａ’間に四角筒状のスリーブ２が立ち上がり、該スリーブ２と各パレット１，１’が各ジョイント具ａで連結されて、組立て状態が維持されている。
すなわち、スリーブ２の上下端部に装着されたジョイント具ａの摺動子２０が固定位置にあり、その係合片２３が、パレット周縁部１ａ，１ａ’の係止孔４に係合して該周縁部１ａ，１ａ’に固定されているため、スリーブ２が各パレット１，１’に連結されている。またこのとき、摺動子２０のストッパー用摘み２６が、ジョイント本体１０のストッパー用長孔１９における固定位置ロック凹部１９ｂに弾性的に係合しており、摺動子２０が固定位置でロックされその摺動が規制されている。
【００２８】
この状態から組立て式コンテナＡを分解するときは、各ジョイント具ａにおいて、ストッパー用摘み２６を固定位置ロック凹部１９ｂから外し、該摘み２６又は摺動操作摘み２５を摘むなどして摺動子２０を着脱位置まで摺動させる。これにより、係合片２３が挿入孔３まで移動して係止孔４との係合が外れるので、スリーブ２をパレット周縁部１ａ，１ａ’から外すことができる。パレット１，１’から外したスリーブ２は、対向する一対の角部の稜線を折線として扁平状に折り畳むことができ、パレット１，１’と共に積み重ねて搬送、保管することができる。またこのとき、ジョイント本体１０と摺動子２０は共にスリーブ２に装着されているので、摺動子２０を紛失するような虞れがなく、管理も容易である。
【００２９】
コンテナＡを再度組み立てるときは、四角筒状に広げたスリーブ２の上下端部を上下パレットの周縁部１ａ，１ａ’間で立ち上げれば、該周縁部１ａ，１ａ’の位置決め孔１ｄに位置決め突起１２ａが挿入されると共に、同周縁部１ａ，１ａ’の挿入孔３に係合片２３が挿入される。この状態で、ストッパー用摘み２６を着脱位置ロック凹部１９ａから外し、該摘み２６又は摺動操作摘み２５を摘むなどして摺動子２０を固定位置まで摺動させれば、係合片２３が係止孔４まで移動して該係止孔４と係合し該周縁部１ａ，１ａ’に固定されるため、スリーブ２が各パレット１，１’に連結さる。またこのとき、摺動子２０のストッパー用摘み２６が、固定位置ロック凹部１９ｂに弾性的に係合して、摺動子２０が固定位置でロックされその摺動が規制されることは言うまでもない。
【００３０】
以上、本発明の実施形態の一例を図面を参照して説明したが、本発明に係る組立て式コンテナ及びジョイント具は図示例に限定されるものではなく、特許請求範囲の各請求項に記載される技術的思想の範疇において種々の変更が可能であることは言うまでもない。
【図面の簡単な説明】
【００３１】
【図１】本発明に係る組立て式コンテナの実施形態の一例を示す斜視図。
【図２】図１に示すジョイント具の拡大正面図で、スリーブとパレットを省略して示す。
【図３】図２の（Ｘ）−（Ｘ）線に沿う断面図。
【図４】図２の（Ｙ）−（Ｙ）線に沿う断面図。
【図５】図２の（Ｚ）−（Ｚ）線に沿う断面図。
【図６】図１に示すジョイント具の拡大斜視図。
【図７】図１に示すジョイント具の展開斜視図。
【図８】図１に示すジョイント具の摺動子の斜視図。
【符号の説明】
【００３２】
Ａ：組立て式コンテナ
１，１’：パレット
１ａ，１ａ’：周縁部
１ｄ：位置決め孔
２：スリーブ
２ａ：スリーブ壁面
３：挿入孔
４：係止孔
ａ：ジョイント具
１０：ジョイント本体
１１：内面板
１２：中間板
１２ａ：位置決め突起
１３：外面板
１４ａ：凸部（嵌合部）
１４ｂ：凹部（嵌合部）
１５：通孔
２０：摺動子
２３：係合片
２５：摺動操作摘み
２６：ストッパー用摘み
【図１】
2007153339.tif 000003
【図２】
2007153339.tif 000004
【図３】
2007153339.tif 000005
【図４】
2007153339.tif 000006
【図５】
2007153339.tif 000007
【図６】
2007153339.tif 000008
【図７】
2007153339.tif 000009
【図８】
2007153339.tif 000010